(57)【要約】      （修正有）【課題】家具全体の強度を維持しつつ、作業者の溶接作業を比較的容易に行える連結メンバを備えた家具を提供する。【解決手段】家具Ａを、板材１と、この板材１を支持する脚フレーム３とを具備してなるものとし、脚フレーム３が、連結メンバｘ１、ｘ２、ｘ３を備えてなり、連結メンバｘ１、ｘ２、ｘ３が、両端部に板状に形成された板状連結部ｘ１ａ、ｘ２ａ、ｘ３ａを有し、当該板状連結部ｘ１ａ、ｘ２ａ、ｘ３ａが側板材受３２又は脚３３、３４、３７、３８に溶接により取り付けられるものであり、板材１が、脚フレーム３を補強するための強度部材としての機能を有する。【選択図】図１
2014144028.tif 000002
【特許請求の範囲】
【請求項１】
板材と、この板材を支持する脚フレームとを具備してなる家具であって、
前記脚フレームが、前記板材の側部を支持する左右の側板材受と、これら左右の側板材受の前端にそれぞれ連続する左右の前脚と、前記左右の側板材受の後部側に配された左右の後脚と、前記左右の側板材受同士又は／及び前後の脚同士又は／及び左右の脚同士を連結するための連結メンバとを備えてなり、
前記連結メンバが、両端部に板状に形成された板状連結部を有し、当該板状連結部が前記側板材受又は脚に溶接により取り付けられるものであり、
前記板材が、前記脚フレームを補強するための強度部材であることを特徴とする家具。
【請求項２】
前記板材が天板である請求項１記載の家具。
【請求項３】
前記天板の下面側に配設された箱形の棚と、この棚よりも外側において前記天板を支持する前記脚フレームとを具備してなり、前記天板から取り外された状態の前記脚フレームに、同一構造をなす他の脚フレームをスタッキングさせることができるようにした家具であって、
前記左右の側板材受が、前記棚の左右両側面に沿う左右の側天板受であり、これら左右の側天板受の前端にそれぞれ連続する前記左右の前脚と、これら左右の前脚よりも短い離間距離をもって配設された前記左右の後脚とを備えたものであり、前記左の側天板受の軸心と前記左の前脚の軸心とが共通の左仮想平面に属するとともに、前記右の側天板受の軸心と前記右の前脚の軸心とが共通の右仮想平面に属するようにして、前記左の側天板受と前記左の前脚、及び、前記右の側天板受と前記右の前脚とがそれぞれ一体に構成されている請求項２記載の家具。
【請求項４】
前記棚が、前記天板と略平行に配される棚板と、この棚板の左右両側縁から上方に向けて立設され上端に前記天板の下面に添接する側フランジを有した左右の側板と、前記棚板の後縁から上方に向けて立設され上端に前記天板の下面に添接する後フランジを有した後板とを備えたものであり、前記側フランジと前記側天板受とを共通のビスを用いて前記天板に共締め固定している請求項３記載の家具。
【請求項５】
前記棚が、前記左右の側フランジに上下に突出するパイロットピンを設けたものであり、そのパイロットピンの上端側を前記天板に設けた位置決め穴に嵌め合わせて前記棚を前記天板に位置決めするとともに、前記パイロットピンの下端側を前記側天板受に設けた位置決め穴に嵌め合わせて前記脚フレームを前記棚及び天板に位置決めするようにしている請求項４記載の家具。
【請求項６】
前記脚フレームが、前フレームメンバと後フレームメンバとを備えたものであり、
前記前フレームメンバが、前記左右の側天板受と、これら左右の側天板受の前端に連続する前記左右の前脚と、前記左右の側天板受の後端同士を連結する第一の後天板受とを一本のパイプ素材を用いて一体に構成したものであり、
前記後フレームメンバが、前記棚の後面に沿う第二の後天板受と、この第二の後天板受の左右両端に連続する前記左右の後脚とを一本のパイプ素材を用いて一体に構成したものであり、
前記連結メンバが、前記前後の脚同士を連結するとともに前記左右の後脚同士を連結するものである請求項３、４又は５記載の家具。
【請求項７】
前記第一の後天板受の前側に前記第二の後天板受を添接させ、これら第一、第二の後天板受同士を溶接により剛結させている請求項６記載の家具。
【請求項８】
前記脚フレームが、左フレームメンバと、右フレームメンバと、これらの左右のフレームメンバ同士を結合する前記連結メンバとを備えたものであり、
前記左フレームメンバが、前記左の側天板受と、この左の側天板受の前端に連続する前記左の前脚と、前記左の側天板受の後端に連続する左の後脚とを一本のパイプ素材を用いて一体に構成したものであり、
前記右フレームメンバが、前記右の側天板受と、この右の側天板受の前端に連続する前記右の前脚と、前記右の側天板受の後端に連続する右の後脚とを一本のパイプ素材を用いて一体に構成したものであり、
前記連結メンバが、前記左右の後脚同士を連結するものである請求項３、４又は５記載の家具。
【請求項９】
前記側天板受にフックを支持させたものであって、
前記側天板受が、前記棚の側板に対面する部位にフック取付穴を備えたものであり、前記フックが基端部に前記フック取付穴に挿入される突部を備えたものであり、
前記棚及び脚フレームが前記天板に取付けられた状態で、前記突部が前記フック取付穴から抜け出る事を前記側板によって禁止している請求項３、４又は５記載の家具。
【請求項１０】
上下及び前後を反転させた同一構造をなす他の家具における天板上に、左右の前脚及び後脚を載せ置くことができるように構成されている請求項３、４又は５記載の家具。
【請求項１１】
前記棚が、前記左右の側板を上方に向かって漸次離間距離が増大するように傾斜させたものであり、前記天板から取り外された状態の前記棚に、同一構造をなす他の棚をスタッキングさせることができるようにしている請求項４記載の家具。
【請求項１２】
前記棚が、前記左右の側板を上方に向かって漸次離間距離が増大するように傾斜させるとともに前記後板を後傾させたものであり、前記天板から取り外された状態の前記棚に、同一構造をなす他の棚を真上にスタッキングさせることができるようにしている請求項４記載の家具。
【請求項１３】
前記棚が、前記左右の側板の内面に上方に開放された竪溝を有するとともに左右の側板の外面に竪突部を有したものであり、同一構造をなす他の棚の竪突部を前記竪溝に係合させてスタッキングできるようにしている請求項１２記載の家具。
【請求項１４】
前記棚の後板が、前記左右のフレームメンバを受け入れるための凹陥部を備えている請求項８記載の家具。
【請求項１５】
前記板材が着座面を有する座板であり、前記左右の側板材受が前記座板に添設する左右の側座板受であり、
前記連結メンバが、前記左右の側座板受同士を連結するものである請求項１記載の家具。
【発明の詳細な説明】
【技術分野】
【０００１】
本発明は、学校等において好適に用いられるデスク等の家具に関する。
【背景技術】
【０００２】
従来から、板材である天板と、金属パイプを主体に構成され天板を支持する脚フレームとを具備してなる家具としてデスクが知られている（例えば、特許文献１を参照）。
【０００３】
一般に、脚フレームは、天板の側縁を支持する左右の側天板受と、これら左右の側天板受の前端にそれぞれ連続する左右の前脚と、前記左右の側天板受の後部側に配された左右の後脚とを備えている。そして、この種のものには、脚フレーム全体の強度を向上させるべく、左右の側板材受同士、前後の脚同士、或いは、左右の脚同士を連結するための連結メンバを備えたものがある。
【０００４】
従来の連結メンバは、パイプ素材を所定の寸法でＲカットして作られているものであるため、その端面部分は円形状をなしている。そして、その円形状の端面部分を前述した各部位に溶接するようにしていた。このため、Ｒカットされた端面部分を各部位に溶接する作業には、作業者に一定以上の技術が要求されるため、比較的経験の少ない作業者が溶接作業を実施し難いという不具合があった。
【０００５】
なお、以上の事情は、デスクに限らず、椅子等の家具においても同様である。
【先行技術文献】
【特許文献】
【０００６】
【特許文献１】特開２００２−９５５３１号公報
【発明の概要】
【発明が解決しようとする課題】
【０００７】
本発明は、以上のような事情に着目してなされたものであり、家具全体の強度を維持しつつ、作業者の溶接作業を比較的容易に行える連結メンバを備えた家具を提供することにある。
【課題を解決するための手段】
【０００８】
すなわち、家具は、次の構成をなしている。
【０００９】
請求項１に記載の家具は、板材と、この板材を支持する脚フレームとを具備してなる家具であって、前記脚フレームが、前記板材の側部を支持する左右の側板材受と、これら左右の側板材受の前端にそれぞれ連続する左右の前脚と、前記左右の側板材受の後部側に配された左右の後脚と、前記左右の側板材受同士又は／及び前後の脚同士又は／及び左右の脚同士を連結するための連結メンバとを備えてなり、前記連結メンバが、両端部に板状に形成された板状連結部を有し、当該板状連結部が前記側板材受又は脚に溶接により取り付けられるものであり、前記板材が、前記脚フレームを補強するための強度部材であるものである。
【００１０】
請求項２に記載の家具は、請求項１に係る構成において、前記板材が天板であるものである。
【００１１】
請求項３に記載の家具は、請求項２に係る構成において、前記天板の下面側に配設された箱形の棚と、この棚よりも外側において前記天板を支持する前記脚フレームとを具備してなり、前記天板から取り外された状態の前記脚フレームに、同一構造をなす他の脚フレームをスタッキングさせることができるようにしたものであって、前記左右の側板材受が、前記棚の左右両側面に沿う左右の側天板受であり、これら左右の側天板受の前端にそれぞれ連続する前記左右の前脚と、これら左右の前脚よりも短い離間距離をもって配設された前記左右の後脚とを備えたものであり、前記左の側天板受の軸心と前記左の前脚の軸心とが共通の左仮想平面に属するとともに、前記右の側天板受の軸心と前記右の前脚の軸心とが共通の右仮想平面に属するようにして、前記左の側天板受と前記左の前脚、及び、前記右の側天板受と前記右の前脚とがそれぞれ一体に構成されているものである。
【００１２】
請求項４に記載の家具は、請求項３に係る構成において、前記棚が、前記天板と略平行に配される棚板と、この棚板の左右両側縁から上方に向けて立設され上端に前記天板の下面に添接する側フランジを有した左右の側板と、前記棚板の後縁から上方に向けて立設され上端に前記天板の下面に添接する後フランジを有した後板とを備えたものであり、前記側フランジと前記側天板受とを共通のビスを用いて前記天板に共締め固定しているものである。
【００１３】
請求項５に記載の家具は、請求項４に係る構成において、前記棚が、前記左右の側フランジに上下に突出するパイロットピンを設けたものであり、そのパイロットピンの上端側を前記天板に設けた位置決め穴に嵌め合わせて前記棚を前記天板に位置決めするとともに、前記パイロットピンの下端側を前記側天板受に設けた位置決め穴に嵌め合わせて前記脚フレームを前記棚及び天板に位置決めするようにしているものである。
【００１４】
請求項６に記載の家具は、請求項３、４又は５に係る構成において、前記脚フレームが、前フレームメンバと後フレームメンバとを備えたものであり、前記前フレームメンバが、前記左右の側天板受と、これら左右の側天板受の前端に連続する前記左右の前脚と、前記左右の側天板受の後端同士を連結する第一の後天板受とを一本のパイプ素材を用いて一体に構成したものであり、前記後フレームメンバが、前記棚の後面に沿う第二の後天板受と、この第二の後天板受の左右両端に連続する前記左右の後脚とを一本のパイプ素材を用いて一体に構成したものであり、前記連結メンバが、前記前後の脚同士を連結するとともに前記左右の後脚同士を連結するものである。
【００１５】
請求項７に記載の家具は、請求項６に係る構成において、前記第一の後天板受の前側に前記第二の後天板受を添接させ、これら第一、第二の後天板受同士を溶接により剛結させているものである。
【００１６】
請求項８に記載の家具は、請求項３、４又は５に係る構成において、前記脚フレームが、左フレームメンバと、右フレームメンバと、これらの左右のフレームメンバ同士を結合する前記連結メンバとを備えたものであり、前記左フレームメンバが、前記左の側天板受と、この左の側天板受の前端に連続する前記左の前脚と、前記左の側天板受の後端に連続する左の後脚とを一本のパイプ素材を用いて一体に構成したものであり、前記右フレームメンバが、前記右の側天板受と、この右の側天板受の前端に連続する前記右の前脚と、前記右の側天板受の後端に連続する右の後脚とを一本のパイプ素材を用いて一体に構成したものであり、前記連結メンバが、前記左右の後脚同士を連結するものである。  請求項９に記載の家具は、請求項３、４又は５に係る構成において、前記側天板受にフックを支持させたものであって、前記側天板受が、前記棚の側板に対面する部位にフック取付穴を備えたものであり、前記フックが基端部に前記フック取付穴に挿入される突部を備えたものであり、前記棚及び脚フレームが前記天板に取付けられた状態で、前記突部が前記フック取付穴から抜け出る事を前記側板によって禁止しているものである。
【００１７】
請求項１０に記載の家具は、請求項３、４又は５に係る構成において、上下及び前後を反転させた同一構造をなす他の家具における天板上に、左右の前脚及び後脚を載せ置くことができるように構成されているものである。
【００１８】
請求項１１に記載の家具は、請求項４に係る構成において、前記棚が、前記左右の側板を上方に向かって漸次離間距離が増大するように傾斜させたものであり、前記天板から取り外された状態の前記棚に、同一構造をなす他の棚をスタッキングさせることができるようにしているものである。
【００１９】
請求項１２に記載の家具は、請求項４に係る構成において、前記棚が、前記左右の側板を上方に向かって漸次離間距離が増大するように傾斜させるとともに前記後板を後傾させたものであり、前記天板から取り外された状態の前記棚に、同一構造をなす他の棚を真上にスタッキングさせることができるようにしているものである。
【００２０】
請求項１３に記載の家具は、請求項１２に係る構成において、前記棚が、前記左右の側板の内面に上方に開放された竪溝を有するとともに左右の側板の外面に竪突部を有したものであり、同一構造をなす他の棚の竪突部を前記竪溝に係合させてスタッキングできるようにしているものである。
【００２１】
請求項１４に記載の家具は、請求項８に係る構成において、前記棚の後板が、前記左右のフレームメンバを受け入れるための凹陥部を備えているものである。
【００２２】
請求項１５に記載の家具は、請求項１に係る構成において、前記板材が着座面を有する座板であり、前記左右の側板材受が前記座板に添設する左右の側座板受であり、前記連結メンバが、前記左右の側座板受同士を連結するものである。
【発明の効果】
【００２３】
以上説明したように本発明によれば、家具全体の強度を維持しつつ、作業者の溶接作業を比較的容易に行える連結メンバを備えた家具を提供することができる。
【図面の簡単な説明】
【００２４】
【図１】本発明の第一実施形態を示す前方斜視図。
【図２】同実施形態における後方斜視図。
【図３】同実施形態における底面図。
【図４】同実施形態の棚を部品単位で複数スタッキングした状態を示す斜視図。
【図５】同実施形態の脚フレームを部品単位で複数スタッキングした状態を示す斜視図。
【図６】同実施形態における分解斜視図。
【図７】同実施形態における分解斜視図。
【図８】同実施形態におけるパイロットピンの拡大斜視図。
【図９】同実施形態における家具（デスク）を、上下及び前後を反転させた同一形状をなす他の家具（デスク）の天板上に載置した状態を示す斜視図。
【図１０】図９における正面図。
【図１１】図９における側面図。
【図１２】本発明の第二実施形態を示す前方斜視図。
【図１３】同実施形態における斜視図。
【図１４】同実施形態における分解斜視図。
【図１５】同実施形態の脚フレームを部品単位で複数スタッキングした状態を示す斜視図。
【図１６】同実施形態における家具（デスク）を、上下及び前後を反転させた同一形状をなす他の家具（デスク）の天板上に載置した状態を示す斜視図。
【図１７】本発明の第三実施形態を示す後方斜視図。
【図１８】同実施形態における分解斜視図。
【図１９】同実施形態の棚を部品単位で複数スタッキングした状態を示す斜視図。
【図２０】本発明の第四実施形態を示す斜視図。
【図２１】同実施形態における分解斜視図。
【図２２】同実施形態における後方斜視図。
【図２３】他の実施形態である棚を部品単位で複数スタッキングした状態を示す斜視図。
【発明を実施するための形態】
【００２５】
以下、本発明の第一、第二、第三、及び第四実施形態を説明する。
【００２６】
＜第一実施形態＞
第一実施形態を、図１〜１１を参照して説明する。
【００２７】
第一実施形態は、本発明を、学校等の教育施設において好適に使用される家具であるデスクＡに適用したものである。このデスクＡは、脚フレーム３が前フレームメンバｆと後フレームメンバｒとを備えたタイプ（前後フレームメンバタイプ）のものである。
【００２８】
デスクＡは、板材である天板１と、天板１の下面側に配設された箱形の物品収容用の棚２と、棚２よりも外側において天板１を支持する脚フレーム３と、脚フレーム３に支持されたフック４とを具備してなる。天板１は、脚フレーム３の強度を高める強度部材である。すなわち、後述するように、天板１は、脚フレーム３の左右の側天板受３１、３２及び第二の後天板受３６に対してビスｖ１により直接的に取り付けられており、脚フレーム３の強度を補助するとともにデスクＡの全体の剛性を高める強度部材としての機能を兼ねている。
【００２９】
天板１は、木製の合板等を材料にして作られた板状のものである。天板１は、前後縁部ｅ１、ｅ２の寸法を左右縁部ｅ３、ｅ４の寸法よりも長く設定している。すなわち、天板１は、平面視において略長方形状をなしている。天板１における４箇所のコーナー部分は曲面に形成されている。天板１の下面１ｂの縁部には、棚２及び脚フレーム３を取り付けるためのビス孔ｈ１、ｈ２が形成されている。更に、天板１の下面１ｂの縁部には、棚２を取り付ける際に位置決め用のパイロットピンｐが挿入される位置決め穴ｈ３が形成されている。
【００３０】
棚２は、金属板により作られたものである。棚２は、天板１と略平行に配される棚板２１と、棚板２１の左右両側縁から上方に向けて立設され上端に天板１の下面１ｂに添接する側フランジ２２ｂ、２３ｂを有した左右の側板２２、２３と、棚板２１の後縁から上方に向けて立設され上端に天板１の下面１ｂに添接する後フランジ２４ｂを有した後板２４とを備えている。棚２は、前側に開口部ｋを有しており、棚板２１、左右の側板２２、２３、及び後板２４によって文房具等の物品を収容可能な物品収容空間ｓを形成している。
【００３１】
棚板２１は、前後方向中央部に左右方向に延びてリブとして機能する凹部２１ｃを備えており、荷重に対する強度を向上させている。
【００３２】
左の側板２２は、内面側が物品収容空間ｓに臨む平板状の左の側板本体２２ａと、左の側板本体２２ａの上端縁から外側に延出した左の側フランジ２２ｂとを備えている。左の側フランジ２２ｂには、ビスｖ１、ｖ２が挿通可能なビス通過孔ｔ１、ｔ２が設けられているとともに、位置決め用のパイロットピンｐが上下方向に突出する態様で設けられている。
【００３３】
右の側板２３は、内面側が物品収容空間ｓに臨む平板状の右の側板本体２３ａと、右の側板本体２３ａの上端縁から外側に延出した右の側フランジ２３ｂとを備えている。右の側フランジ２３ｂには、ビスｖ１、ｖ２が挿通可能なビス通過孔ｔ１、ｔ２が設けられているとともに、位置決め用のパイロットピンｐが上下方向に突出する態様で設けられている。
【００３４】
後板２４は、内面側が物品収容空間ｓに臨む平板状の後板本体２４ａと、後板本体２４ａの上端縁から外側に延出した後フランジ２４ｂとを備えている。後フランジ２４ｂには、ビスｖ１が挿通可能なビス通過孔ｔ１が設けられている。
【００３５】
左右の側板本体２２ａ、２３ａは、上方に向かって漸次離間距離が増大するようにそれぞれ傾斜している。一方で、後板本体２４ａは、棚板２１に対して略垂直に設けられている。このため、図４に示すように、天板１から取り外された状態の棚２に、同一構造をなす他の棚２を上下方向に複数スタッキングさせることができるようになっている。この際、上下に重ねられた２つの棚２のうち、上の棚２の前端部分は下の棚２の前端部分よりも前に位置するようになっている。
【００３６】
パイロットピンｐは、棚２を天板１に取り付ける際、及び、脚フレーム３を棚２に取り付ける際に位置決め機能を発揮するものである。パイロットピンｐは、左右の側フランジ２２ｂ、２３ｂにおける前後方向中央部に取り付けられたものであり、側フランジ２２ｂ、２３ｂから上方に突出した上端側たる上突出部ｐ１と、側フランジ２２ｂ、２３ｂから下方に突出した下端側たる下突出部ｐ２とを備えてなる。棚２を天板１に取り付ける際には、パイロットピンｐの上端側ｐ１を天板１に設けた位置決め穴ｈ３に嵌め合わせて棚２を天板２に位置決めするようにしている。脚フレーム３を棚２に取り付ける際には、パイロットピンｐの下端側ｐ２を左右の側天板受３１、３２に設けた位置決め穴３１ｂ、３２ｂに嵌め合わせて脚フレーム３を棚２及び天板１に位置決めするようにしている。
【００３７】
脚フレーム３は、天板１及び棚２を支持するものであり、パイプ素材すなわち金属製のパイプ材を主体に形成されている。脚フレーム３は、棚２の左右両側面、すなわち左右の側板本体２２ａ、２３ａの外側面に沿うように配される左右の側板材受である左右の側天板受３１、３２と、左右の側天板受３１、３２の前端にそれぞれ連続する左右の前脚３３、３４と、左右の前脚３３、３４よりも短い離間距離をもって配設された左右の後脚３７、３８とを主体に構成されている。また、脚フレーム３は、図７に示すように、左の側天板受３１の軸心ｊと左の前脚３３の軸心ｊが共通の左仮想平面ｍ１に属するようにして、左の側天板受３１と左の前脚３３とが一体に構成されている。これと同様に、脚フレーム３は、右の側天板受３２の軸心ｊと右の前脚３４の軸心ｊとが共通の右仮想平面ｍ２に属するようにして、右の側天板受３２と右の前脚３４とが一体に構成されている。
【００３８】
以下、脚フレーム３について詳述する。
【００３９】
脚フレーム３は、左右の前脚３３、３４を有する前フレームメンバｆと左右の後脚３７、３８を有する後フレームメンバｒと、左の前脚３３と左の後脚３７との間に架設された左の連結メンバｘ１と、右の前脚３４と右の後脚３８との間に架設された右の連結メンバｘ２と、左右の後脚３７、３８間に架設された後の連結メンバｘ３とを主体に構成されている。
【００４０】
前フレームメンバｆは、左右の側天板受３１、３２と、左右の側天板受３１、３２の前端に部分円弧状すなわち約４分の１円弧状をなす左右の前連設部ｃ１、ｃ２を介して連続する左右の前脚３３、３４と、左右の側天板受３１、３２の後端同士を部分円弧状すなわち約４分の１円弧状をなす左右の第一後連設部ｃ３、ｃ４を介して連結する第一の後天板受３５とを一本の金属製パイプ材を用いて一体に構成したものである。
【００４１】
しかして、左の側天板受３１の軸心ｊ、左の前連設部ｃ１の軸心ｊ、及び、左の前脚３３の軸心ｊが、図７に示すように、共通の左仮想平面ｍ１に属する位置に配されている。同様に、右の側天板受３２の軸心ｊ、右の前連設部ｃ２の軸心ｊ、及び、右の前脚３４の軸心ｊが共通の右仮想平面ｍ２に属する位置に配されている。換言すれば、左の側天板受３１と左の前連設部ｃ１と左の前脚３３とは、共通の左仮想平面ｍ１に仮想的に接するように二次元的に形成されている。同様に、右の側天板受３２と右の前連設部ｃ２と右の前脚３４とは、共通の右仮想平面ｍ２に仮想的に接するように二次元的に形成されている。
【００４２】
後フレームメンバｒは、棚２の後面に沿うように配された第二の後天板受３６と、この第二の後天板受３６の左右両端に部分円弧状すなわち約４分の１円弧状をなす左右の第二後連設部ｃ５、ｃ６を介して連続する左右の後脚３７、３８とを一本の金属製パイプ材を用いて一体に構成したものである。
【００４３】
左右の側天板受３１、３２は、直線状をなし、天板１の下面１ｂにおける左右の縁部分を支持するものである。左右の側天板受３１、３２は、前端部及び後端部にビスｖ１が挿通するビス挿通孔３１ａ、３２ａと、長手方向中央部における上側に形成されパイロットピンｐの下突出部ｐ２が挿入される位置決め穴３１ｂ、３２ｂと、長手方向中央部における内側上部すなわち棚２の左右の側板２２、２３に対面する部位の上部にフック４の突部４２が挿入されるフック取付穴３１ｃ（右の側天板受３２のフック取付穴は図示せず）とを備えたものである。
【００４４】
左右の前脚３３、３４は、直線状をなし上下方向に延びるものである。左右の前脚３３、３４の下端には、それぞれ樹脂製のキャップｄが設けられている。
【００４５】
第一の後天板受３５は、直線状をなし左右方向に延びるもので、天板１の下面１ｂにおける後の縁部分に接し得るように配されている。
【００４６】
第二の後天板受３６は、直線状をなし左右方向に延びるもので、第一の後天板受３５の前側に隣接して配されている。第二の後天板受３６は、左右２箇所にビスｖ１が挿通されるビス挿通孔３６ａを備えている。
【００４７】
左右の後脚３７、３８は、直線状をなし上下方向に延びるものである。左右の後脚３７、３８の上部分は、棚２の左右の側板２２、２３と後板２４との境界に形成される略直角な後角部分ｗに沿うように配されており、後角部分ｗを保護するとともに使用者等が棚２の後角部分ｗにアクセスし難いようにしてある。左右の前脚３７、３８の下端には、それぞれ樹脂製のキャップｄが設けられている。
【００４８】
脚フレーム３は、前フレームメンバｆと後フレームメンバｒとを溶接により接続することにより、一体的に構成されている。具体的には、第一の後天板受３５の前側に第二の後天板受３６を添接させ、第一の後天板受３５と第二の後天板受３６とを双方が接する直線部分において溶接により剛結させている。脚フレーム３は、天板１及び棚２と離脱した状態において、保管や搬送等に好適な態様に設定されている。すなわち、左右の前脚３３、３４の離間寸法を、左右の後脚３７、３８の離間寸法よりも長く設定しているため、図５に示すように、天板１及び棚２から取り外された状態の脚フレーム３に、同一構造をなす他の脚フレーム３を上下方向に複数スタッキングさせることができるようになっている。
【００４９】
左の連結メンバｘ１は、直線状をなす金属パイプにより形成されるものである。左の連結メンバｘ１は、前フレームメンバｆ及び後フレームメンバｒとの取付強度を向上させる機能を発揮するもので、一端が左の前脚３３の下部に溶接により接続されるとともに他端が左の後脚３７の下部に溶接により接続される。そして、左の連結メンバｘ１は、両端部に板状に形成された板状連結部ｘ１ａを備えている。板状連結部ｘ１ａは、金属パイプ材である左の連結メンバｘ１の端部をプレスすることにより板状に形成された部分である。板状連結部ｘ１ａは、基端部分から先端部分に向かうにつれて板状に形成された部分が広がる形状をなしている。そして、板状連結部ｘ１ａは、先端縁に連結メンバｘ１の長手方向に対して直交する方向に延びる直線部が形成されている。この実施形態では、左の前脚３３に接続する前側の板状連結部ｘ１ａは、平たく形成された平面部ｘ１ｂが平面視における金属パイプの軸心に対して外方に変位した位置で外側を向いており、左の後脚３７に接続する後側の板状連結部ｘ１ａは、平たく形成された平面部ｘ１ｂが平面視における金属パイプの軸心に対して内方に変位した位置で内側を向いている。そして、これら板状連結部ｘ１ａの先端が、左の前脚３３の内面部分、左の後脚３７の外面部分にそれぞれ直線溶接により止着されている。
【００５０】
右の連結メンバｘ２は、直線状をなす金属パイプにより形成されるものである。右の連結メンバｘ２は、前フレームメンバｆ及び後フレームメンバｒとの取付強度を向上させる機能を発揮するもので、一端が右の前脚３４の下部に溶接により接続されるとともに他端が右の後脚３８の下部に溶接により接続される。そして、右の連結メンバｘ２は、両端部に板状に形成された板状連結部ｘ２ａを備えている。板状連結部ｘ２ａは、金属パイプ材である右の連結メンバｘ２の端部をプレスすることにより板状に形成された部分である。板状連結部ｘ２ａは、基端部分から先端部分に向かうにつれて板状に形成された部分が広がる形状をなしている。そして、板状連結部ｘ２ａは、先端縁に連結メンバｘ２の長手方向に対して直交する方向に延びる直線部が形成されている。この実施形態では、右の前脚３４に接続する前側の板状連結部ｘ２ａは、平たく形成された平面部ｘ２ｂが平面視における金属パイプの軸心に対して外方に変位した位置で外側を向いており、右の後脚３８に接続する後側の板状連結部ｘ２ａは、平たく形成された平面部ｘ２ｂが平面視における金属パイプの軸心に対して内方に変位した位置で内側を向いている。そして、これら板状連結部ｘ２ａの先端が、右の前脚３４の内面部分、右の後脚３８の外面部分にそれぞれ直線溶接により止着されている。
【００５１】
後の連結メンバｘ３は、直線状をなす金属パイプにより形成されるものである。後の連結メンバｘ３は、後フレームメンバｒの強度を向上させる機能を発揮するもので、一端が左の後脚３７の上部に溶接により接続されるとともに他端が右の後脚３８の上部に溶接により接続される。そして、後の連結メンバｘ３は、両端部に板状に形成された板状連結部ｘ３ａを備えている。板状連結部ｘ３ａは、金属パイプ材である後の連結メンバｘ３の端部をプレスすることにより板状に形成された部分である。板状連結部ｘ３ａは、基端部分から先端部分に向かうにつれて板状に形成された部分が広がる形状をなしている。そして、板状連結部ｘ３ａは、先端縁に連結メンバｘ３の長手方向に対して直交する方向に延びる直線部が形成されている。この実施形態では、左の後脚３７に接続する左側の板状連結部ｘ３ａは、平たく形成された平面部ｘ３ｂが平面視における金属パイプの軸心に対して内方に変位した位置で前側を向いており、これと同様に、右の後脚３８に接続する右側の板状連結部ｘ３ａは、平たく形成された平面部ｘ３ｂが平面視における金属パイプの軸心に対して内方に変位した位置で前側を向いている。そして、これら板状連結部ｘ３ａの先端が、左右の後脚３７、３８の後面部分にそれぞれ直線溶接により止着されている。
【００５２】
なお、板状連結部ｘ１ａ、ｘ２ａ、ｘ３ａを得るための連結メンバｘ１、ｘ２、ｘ３の端部のプレスは、完全に行われるもので無くても良い。すなわち、板状連結部ｘ１ａ、ｘ２ａ、ｘ３ａは、板状に形成されているものであれば、金属パイプの内部の中空部分が残っているものであってもよい。
【００５３】
フック４は、左右の側天板受３１、３２に支持された金属製のものであり、鞄や袋や被服等の物品を引っ掛けて支持するものである。フック４は、物品を引っ掛けるための引っ掛け部分を有するフック本体４１と、フック本体４１の基端部から延出し左右の側天板受３１、３２に設けられたフック取付穴３１ｃ、３２ｃに挿入される突部４２とを備えている。突部４２は、上下方向に対して約４５度傾斜して設けられている。フック４は、棚２及び脚フレーム３が天板１に取付けられた状態で、側天板受３１、３２から離脱できないように構成されている。すなわち、フック４の突部４２がフック取付穴３１ｃ、３２ｃから抜け出る事を、フック４に隣接した棚２の側板２２、２３が禁止するようになっている。換言すれば、天板１に対して棚２及び脚フレーム３を取り付けた後は、フック本体４１の基端部が脚フレーム３と棚２とによって挟持され、フック４が脚フレーム３と棚２の間から抜け出ないようになっている。
【００５４】
以上の構成をなすデスクＡは、棚２における左の側フランジ２２ｂと脚フレーム３における左の側天板受３１とを共通のビスｖ１を用いて天板１に共締め固定しているとともに、棚２における右の側フランジ２３ｂと脚フレーム３における右の側天板受３２とを共通のビスｖ１を用いて天板１に共締め固定している。更に、棚２における後フランジ２４ｂと脚フレーム３における第二の後天板受３６とを共通のビスｖ１を用いて天板１に共締め固定している。本実施形態のデスクＡは、各部の共締め固定を、形状及び大きさが共通する共締め用の共通のビスｖ１により行えるため取り付け作業の複雑化を抑制するものとなっている。
【００５５】
また、デスクＡは、図９、１０及び１１に示すように、上下及び前後を反転させた同一構造をなす他のデスクＡ’における天板上（天板１’の裏面１ｂ’）に、左右の前脚３３、３４及び左右の後脚３７、３８を載せ置くことができるように構成されている。すなわち、左右の前脚３３、３４が、それぞれ下方に向かうに連れて漸次斜め前外方に移行するように構成されているとともに、左右の前脚３３、３４の先端部が、他のデスクＡ’における天板１’の下面１ｂの角部分に接するように構成されている（図９〜１１では、他のデスクの符号に「’」を付加して示している）。また、左右の後脚３７、３８が、それぞれ下方に向かうに連れて漸次後方に移行するように構成されているとともに、左右の後脚３７、３８の先端部が他のデスクＡ’の天板１’における下面１ｂ’の前縁部分に接するように構成されている。
【００５６】
以下、デスクＡの組み立てについて、図６等を参照して説明する。
【００５７】
まず、下面１ｂを上側に向けた状態の天板１を準備する。
【００５８】
次に、棚２を天板１の下面１ｂに位置決めする。すなわち、棚２の左右の側フランジ２２ｂ、２３ｂにそれぞれ設けられたパイロットピンｐの上突出部ｐ１を、天板１に設けられた位置決め穴ｈ３に挿入して嵌め合わせることにより、棚２を天板１に対して位置決めする。
【００５９】
その後、天板１に対して位置決めされた棚２を、仮留め用のビスｖ２により天板１に仮留めする。仮留め用のビスｖ２は、左右の側フランジ２２ｂ、２３ｂの前側に形成されたビス通過孔ｔ２を通過させた上で、天板１に設けられた第二のビス孔ｈ２に取り付けられる。なお、仮留め用のビスｖ２は、共締め用ビスｖ１よりも小さなものを採用しており、作業分担の明瞭に資するようにしている。
【００６０】
次いで、脚フレーム３を棚２に対して位置決めする。すなわち、左右の側フランジ２２ｂ、２３ｂに設けられたパイロットピンｐの下突出部ｐ２に、左右の側天板受３１、３２に設けられた位置決め穴３１ｂ、３２ｂを嵌め合わせることにより、脚フレーム３を棚２に対して位置決めする。この状態で、脚フレーム３は、天板１に対しても位置決めされたこととなる。
【００６１】
なお、脚フレーム３を棚２に当接させて位置決めする前の段階において、フック４の突部４２を左右の側天板受３１、３２のフック取付穴３１ｃ、３２ｃに挿入し、脚フレーム３とフック４とを係わり合わせておく。仮に、フック４が不要な場合には、この段階で脚フレーム３にフック４を取り付けなければよい。
【００６２】
最後に、脚フレーム３と棚２とを共締め用のビスｖ１を用いて天板１に共締め固定する。すなわち、左の側フランジ２２ｂのビス通過孔ｔ１と左の側天板受３１のビス挿通孔３１ａとを通過させたビスｖ１を、天板１の第一のビス孔ｈ１に取り付けるとともに、右の側フランジ２３ｂのビス通過孔ｔ１と右の側天板受３２のビス挿通孔３２ａとを通過させたビスｖ１を、天板１の第一のビス孔ｈ１に取り付ける。更に、後フランジ２４ｂのビス通過孔ｔ１と第二の後天板受３６のビス挿通孔３６ａとを通過させたビスｖ１を、天板１の第一のビス孔ｈ１に取り付ける。共締めに使用される６本の共締め用のビスｖ１は共通の形状及び大きさのものを採用している。
【００６３】
以上説明したように、本実施形態に係るデスクＡは、左の前後脚３３、３７同士、右の前後脚３４、３８同士、及び、左右の後脚３７、３８同士を連結するための左右及び後の連結メンバｘ１、ｘ２、ｘ３とを備えている。そして、これら連結メンバｘ１、ｘ２、ｘ３が、両端部に板状に形成された板状連結部ｘ１ａ、ｘ２ａ、ｘ３ａを有し、当該板状連結部ｘ１ａ、ｘ２ａ、ｘ３ａが各脚３３、３４、３７、３８に直線溶接により取り付けられる。このため、直線溶接により連結メンバｘ１、ｘ２、ｘ３を所望の箇所に取り付けることができるものとなり、比較的経験の少ない作業者であってもスピーディーに溶接作業を実施することができるものとなる。しかも、本実施形態の連結メンバｘ１、ｘ２、ｘ３は、両端部にプレス加工を行うことによって製造されるものであるため、生産スピードを向上させることができるものとなる。すなわち、本実施形態の連結メンバｘ１、ｘ２、ｘ３は、従来の連結メンバのように曲げベンダーを用いたＳ字状の曲げ加工をする必要が無く、比較的少ない製造工数で製造されるものである。更に、本実施形態の連結メンバｘ１、ｘ２、ｘ３は、Ｓ字状に曲げられて無く、略直線状の形状をなしているため、下肢空間の幅も奥行きも広く設定することができるものとなる。
【００６４】
しかも、天板１が、脚フレーム３を補強するための強度部材であるため、直線溶接により取り付けられる連結メンバｘ１、ｘ２、ｘ３とは別に、更なる強度を付加するものとなり、天板１を脚フレーム３に直接的に取り付けることによってデスクＡの全体的な強度を向上させるものとなる。
【００６５】
デスクＡは、天板１から取り外された状態の脚フレーム３に、同一構造をなす他の脚フレーム３を上下方向に複数スタッキングさせることができるものであり、脚フレーム３が、棚２の左右両側面に沿う左右の側天板受３１、３２と、左右の側天板受３１、３２の前端にそれぞれ連続する左右の前脚３３、３４と、左右の前脚３３、３４よりも短い離間距離をもって配設された左右の後脚３７、３８とを備えている。そして、左の側天板受３１の軸心ｊと左の前脚３３の軸心ｊが共通の左仮想平面ｍ１に属するようにして左の側天板受３１と左の前脚３３とが一体に構成されており、右の側天板受３２の軸心ｊと右の前脚３４の軸心ｊとが共通の右仮想平面ｍ２に属するようにして右の側天板受３２と右の前脚３４とが一体に構成されている。このため、天板１の下面１ｂ側に配された棚３の幅寸法を広くするための設計の自由度に優れたものとなる。すなわち、本実施形態のデスクＡは、左の側天板受３１と左の前脚３３とが二次元的に形成されるとともに右の側天板受３２と右の前脚３４とが二次元的に形成されるものであるので、棚２の有効幅寸法が、従来のような３次元的なフレーム形状によって制約を受け難いものとなる。このため、本実施形態のデスクＡであれば、棚２の幅寸法が、左右の前脚３２、３４の離間寸法と略等しい寸法にまで設定可能なものとなる。
【００６６】
更に、天板１から取り外された状態の脚フレーム３に、同一構造をなす他の脚フレームを上下方向に複数スタッキングさせることができるものであるため、脚フレーム３という部品単位で、倉庫等に効率良く保管することができるとともに効率良く輸送することができるものとなる。
【００６７】
しかも、前フレームメンバｆにおいて主要な荷重受付部分となる左の側天板受３１と左の前脚３３、及び、右の側天板受３２と右の前脚３４がそれぞれ二次元的に形成されているので、構造の簡素化や部品形状の均質化、更には強度を向上させるための設計自由度の向上に資するものとなる。
【００６８】
棚２における左右の側フランジ２２ｂ、２３ｂと脚フレーム３における左右の側天板受３１、３２とをそれぞれビスｖ１を用いて天板１に共締め固定しているため、強度に優れた組み立てを行うことができるものとなる。しかも、複数箇所で行われる共締めを、形状及び大きさが共通する共締め用のビスｖ１により行えるようにしてあるため、組み立て作業を標準化するものとなる。このため、組み立て作業を簡素化できるとともに組み立てミスを抑制できるものとなり、例えば、不慣れな作業者であっても組み立て作業に柔軟に対応することができるものとなる。
【００６９】
棚２が、左右の側フランジ２２ｂ、２３ｂに上下に突出するパイロットピンｐを設けている。そして、パイロットピンｐの上端側ｐ１を天板１に設けた位置決め穴ｈ３に嵌め合わせて棚２を天板１に位置決めするようにしており、パイロットピンｐの下端側ｐ２を左右の側天板受３１、３２に設けた位置決め穴３１ｂ、３２ｂに嵌め合わせて脚フレーム３を棚２及び天板１に位置決めするようにしている。このため、デスクＡを組み立てるために、特別なジグが不要になり、スピーディーな組立作業に寄与するものとなる。
【００７０】
脚フレーム３が、前フレームメンバｆと後フレームメンバｒとを備えている。そして、前フレームメンバｆが、一本の金属製のパイプ材を用いて一体に構成したものであり、後フレームメンバｒが、一本の金属製のパイプ材を用いて一体に構成したものである。このため、脚フレーム３の構成を、比較的単純でシンプルな構造で実現しやすいものとなる。
【００７１】
しかも、第一の後天板受３５の前側に第二の後天板受３６を添接させ、これら第一、第二の後天板受３５、３６の直線部分同士を溶接により剛結させているので、安定した溶接を行うことができるとともに複雑化を抑制しコストの抑制に寄与する脚フレーム３を実現するものとなる。
【００７２】
更に、第一の後天板受３５の前側に第二の後天板受３６を取り付けた構造をとるものであるため、前フレームメンバｆの左右の第一後連設部ｃ３、ｃ４の円弧状の形状に影響を受けずに、棚２の奥行き寸法を設定することができるものとなり、棚２の奥行き寸法を設定するための設計の自由度に優れたものとなる。
【００７３】
左右の側天板受３１、３２の内側にフック４を支持させたものであり、棚２及び脚フレーム３が天板１に取付けられた状態で、フック４の突部４２が脚フレーム３のフック取付穴３１ｃ、３２ｃから抜け出る事を棚２の側板２２、２３によって禁止している。このため、天板１に棚２と脚フレーム３を取り付けた段階でフック４が脚フレーム３から外れないものとなり、フック４を脚フレーム３から離脱させないために特別なフック形状を採用したり特別な部品を用意したりする必要が無くなるものとなる。また、フック４の有無を組み立ての時点で決めることができるものとなる。
【００７４】
上下及び前後を反転させた同一構造をなす他のデスクＡ’における天板上に、左右の前脚３３、３４及び左右の後脚３７、３８を載せ置くことができるように構成されている。このため、組み立てられた状態のデスクＡを効率良く保管及び搬送することができるものとなる。
【００７５】
棚２が、左右の側板２２、２３を上方に向かって漸次離間距離が増大するように傾斜させたものであり、天板１から取り外された状態の棚２に、同一構造をなす他の棚２をスタッキングさせることができるようにしている。このため、棚２という部品単位で、倉庫等に効率良く保管することができるとともに効率良く輸送することができるものとなる。
【００７６】
＜第二実施形態＞
第二実施形態を、図１２〜１６を参照して説明する。第二実施形態は、本発明を、学校等の教育施設において好適に使用される家具であるデスクＢに適用したものである。このデスクＢは、脚フレームＢ３が左フレームメンバｇと右フレームメンバｉによって構成されたタイプ（左右フレームメンバタイプ）のものである。
【００７７】
第二実施形態のデスクＢは、第一実施形態のデスクＡと比較すると、脚フレームＢ３の構造が異なっている。なお、図１２〜１６において、第一実施形態と同一又は相応する構成については、頭部分にＢを付加した上でそれ以外を同一の符号を付して説明することとし、説明を省略する。
【００７８】
このデスクＢの脚フレームＢ３は、左の前脚Ｂ３３及び左の後脚Ｂ３７を有した左フレームメンバｇと、右の前脚Ｂ３４及び右の後脚Ｂ３８を有した右フレームメンバｉと、これらの左右のフレームメンバｇ、ｉ同士を連結する上下の連結メンバｘ４、ｘ５と、左の前脚Ｂ３３と左の後脚Ｂ３７同士を連結する左の連結メンバｘ６と、右の前脚Ｂ３４と右の後脚Ｂ３８同士を連結する右の連結メンバｘ７を備えたものである。
【００７９】
左フレームメンバｇは、左の側板材受である左の側天板受Ｂ３１と、左の側天板受Ｂ３１の前端に左の前連設部Ｂｃ１を介して連続する左の前脚Ｂ３３と、左の側天板受Ｂ３１の後端に左の後連設部ｃ７を介して連続する左の後脚Ｂ３７とを一本の金属パイプ材を用いて一体に構成している。しかして、左の側天板受Ｂ３１の軸心Ｂｊ、左の前連設部Ｂｃ１の軸心Ｂｊ、及び、左の前脚Ｂ３３の軸心Ｂｊが共通の左仮想平面Ｂｍ１に属する位置に配されている。
【００８０】
右フレームメンバｉは、右の側板材受である右の側天板受Ｂ３２と、右の側天板受Ｂ３２の前端に右の前連設部Ｂｃ２を介して連続する右の前脚Ｂ３４と、右の側天板受Ｂ３２の後端に右の後連設部ｃ８を介して連続する右の後脚Ｂ３８とを一本の金属パイプ材を用いて一体に構成している。しかして、右の側天板受Ｂ３２の軸心Ｂｊ、右の前連設部Ｂｃ２の軸心Ｂｊ、及び、右の前脚Ｂ３４の軸心Ｂｊが共通の右仮想平面Ｂｍ２に属する位置に配されている。
【００８１】
上下の連結メンバｘ４、５は、直線状をなす金属パイプにより形成されるものである。上下の連結メンバｘ４、ｘ５は、左フレームメンバｆと右フレームメンバｉとを連結する機能を発揮するもので、一端が左の後脚Ｂ３７の上部及び下部に溶接により接続されるとともに他端が右の後脚Ｂ３８の上部及び下部に溶接により接続される。そして、上下の連結メンバｘ４、ｘ５は、両端部に板状に形成された板状連結部ｘ４ａ、ｘ５ａを備えている。板状連結部ｘ４ａ、ｘ５ａは、金属パイプ材である後の連結メンバｘ４、ｘ５の端部をプレスすることにより板状に形成された部分である。板状連結部ｘ４ａ、ｘ５ａは、基端部分から先端部分に向かうにつれて板状に形成された部分が広がる形状をなしている。そして、板状連結部ｘ４ａ、ｘ５ａは、先端縁に連結メンバｘ４、ｘ５の長手方向に対して直交する方向に延びる直線部が形成されている。この実施形態では、左の後脚Ｂ３７に接続する左側の板状連結部ｘ４ａ、ｘ５ａは、平たく形成された平面部ｘ４ｂ、ｘ５ｂが平面視における金属パイプの軸心に対して内方に変位した位置で前側を向いており、これと同様に、右の後脚Ｂ３８に接続する右側の板状連結部ｘ４ａ、ｘ５は、平たく形成された平面部ｘ４ｂ、ｘ５ｂが平面視における金属パイプの軸心に対して内方に変位した位置で前側を向いている。そして、これら板状連結部ｘ４ａ、ｘ５ａの先端が、左右の後脚Ｂ３７、Ｂ３８の後面部分にそれぞれ直線溶接により止着されている。
【００８２】
更に、脚フレームＢ３は、左の前脚Ｂ３３と左の後脚Ｂ３７同士を連結する左の連結メンバｘ６と、右の前脚Ｂ３４と右の後脚Ｂ３８同士を連結する右の連結メンバｘ７とを具備している。
【００８３】
左の連結メンバｘ６は、直線状をなす金属パイプにより形成されるものである。左の連結メンバｘ６は、左フレームメンバｇの強度を向上させる機能を発揮するもので、一端が左の前脚Ｂ３３の下部に溶接により接続されるとともに他端が左の後脚Ｂ３７の下部に溶接により接続される。そして、左の連結メンバｘ６は、両端部に板状に形成された板状連結部ｘ６ａを備えている。板状連結部ｘ６ａは、金属パイプ材である左の連結メンバｘ６の端部をプレスすることにより板状に形成された部分である。板状連結部ｘ６ａは、基端部分から先端部分に向かうにつれて板状に形成された部分が広がる形状をなしている。そして、板状連結部ｘ６ａは、先端縁に連結メンバｘ６の長手方向に対して直交する方向に延びる直線部が形成されている。この実施形態では、左の前脚Ｂ３３に接続する前側の板状連結部ｘ６ａは、平たく形成された平面部ｘ６ｂが平面視における金属パイプの軸心に対して外方に変位した位置で外側を向いており、左の後脚Ｂ３７に接続する後側の板状連結部ｘ６ａは、平たく形成された平面部ｘ６ｂが平面視における金属パイプの軸心に対して内方に変位した位置で内側を向いている。そして、これら板状連結部ｘ６ａの先端が、左の前脚Ｂ３３の内面部分、及び、左の後脚Ｂ３７の外面部分にそれぞれ直線溶接により止着されている。
【００８４】
右の連結メンバｘ７は、直線状をなす金属パイプにより形成されるものである。右の連結メンバｘ７は、右フレームメンバｉの強度を向上させる機能を発揮するもので、一端が右の前脚Ｂ３４の下部に溶接により接続されるとともに他端が右の後脚Ｂ３８の下部に溶接により接続される。そして、右の連結メンバｘ７は、両端部に板状に形成された板状連結部ｘ７ａを備えている。板状連結部ｘ７ａは、金属パイプ材である右の連結メンバｘ７の端部をプレスすることにより板状に形成された部分である。板状連結部ｘ７ａは、基端部分から先端部分に向かうにつれて板状に形成された部分が広がる形状をなしている。そして、板状連結部ｘ７ａは、先端縁に連結メンバｘ７の長手方向に対して直交する方向に延びる直線部が形成されている。この実施形態では、右の前脚Ｂ３４に接続する前側の板状連結部ｘ７ａは、平たく形成された平面部ｘ７ｂが平面視における金属パイプの軸心に対して外方に変位した位置で外側を向いており、右の後脚Ｂ３８に接続する後側の板状連結部ｘ７ａは、平たく形成された平面部ｘ７ｂが平面視における金属パイプの軸心に対して内方に変位した位置で内側を向いている。そして、これら板状連結部ｘ７ａの先端が、右の前脚Ｂ３４の内面部分、及び、右の後脚Ｂ３８の外面部分にそれぞれ直線溶接により止着されている。
【００８５】
なお、板状連結部ｘ４ａ、ｘ５ａ、ｘ６ａ、ｘ７ａを得るための連結メンバｘ４、ｘ５、ｘ６、ｘ７の端部のプレスは、完全に行われるもので無くても良い。すなわち、板状連結部ｘ４ａ、ｘ５ａ、ｘ６ａ、ｘ７ａは、板状に形成されているものであれば、金属パイプの内部の中空部分が残っているものであってもよい。
【００８６】
脚フレームＢ３は、板材である天板Ｂ１や棚Ｂ２と離脱した状態において、保管や搬送等に好適な態様に設定されている。すなわち、左右の前脚Ｂ３３、Ｂ３４の離間寸法よりも左右の後脚Ｂ３７、Ｂ３８の離間寸法を短く設定しているため、図１５に示すように、天板Ｂ１から取り外された状態の脚フレームＢ３に、同一構造をなす他の脚フレームＢ３を上下方向に複数スタッキングさせることができるようになっている。
【００８７】
デスクＢは、上下及び前後を反転させた同一構造をなす他のデスクＢ’における天板Ｂ１上に、左右の前脚Ｂ３３、Ｂ３４及び左右の後脚Ｂ３７、Ｂ３８を載せ置くことができるように構成されている（図１６では、他のデスクの符号に「’」を付加して示している）。左横架材ｇ１と右横架材ｉ１は、図１６に示すように、上下及び前後を反転させた同一構造をなす他のデスクＢ’における天板上に、左右の前脚Ｂ３３、Ｂ３４及び左右の後脚Ｂ３７、Ｂ３８を載せ置いた際に、他のデスクＢ’の棚Ｂ２に干渉しない位置に取り付けられる。
【００８８】
天板Ｂ１、棚Ｂ２、及び脚フレームＢ３の取り付けは、棚Ｂ２における左右の側フランジＢ２２ｂ、Ｂ２３ｂと脚フレームＢ３における左右の側天板受Ｂ３１、Ｂ３２とをそれぞれビスＢｖ１を用いて天板Ｂ１に共締め固定することにより行われる。この実施形態では、共締め用のビスＢｖ１を用いて行われる共締め固定が４箇所で行われる。
【００８９】
第二実施形態のデスクＢは以上のような構成をなすものであるため、第一実施形態に示すものと同様の効果を奏するものとなる。
【００９０】
＜第三実施形態＞
第三実施形態を、図１７〜１９を参照して説明する。第三実施形態は、本発明を、学校等の教育施設において好適に使用される家具であるデスクＣに適用したものである。このデスクＣは、棚Ｃ２を樹脂により成形したタイプ（樹脂棚タイプ）のものである。
【００９１】
第三実施形態のデスクＣは、脚フレームＢ３の構造が第二実施形態で説明したものと共通している。このため、脚フレームＢ３の説明は第二実施形態での説明と同様であるため省略する。図１７〜１９では、脚フレームＢ３の符号について、第二実施形態で示した符号と同一の符号を用いている。その他、図１７〜１９中において、第一実施形態と同一又は相応する構成については、語頭部分にＣを付した上でそれ以外を同一の符号を付して説明することとし、説明を省略する。
【００９２】
棚Ｃ２は、樹脂により一体に形成された箱形のものである。棚Ｃ２は、天板Ｃ１と略平行に配される棚板Ｃ２１と、棚板Ｃ２１の左右両側縁から上方に向けて立設され上端に天板Ｃ１の下面Ｃ１ｂに添接する側フランジＣ２２ｂ、Ｃ２３ｂを有した左右の側板Ｃ２２、Ｃ２３と、棚板Ｃ２１の後縁から上方に向けて立設された後板Ｃ２４とを備えている。
【００９３】
棚板Ｃ２１は、左右に延びてリブとして機能する凹部Ｃ２１ｃが複数形成されており荷重に対する強度を向上させている。
【００９４】
左の側板Ｃ２２は、内面側が物品収容空間Ｃｓに臨む側板本体Ｃ２２ａと、側板本体Ｃ２２ａの上端縁から外側に延出した側フランジＣ２２ｂとを備えている。左の側フランジＣ２２ｂには、ビスＣｖ１、Ｃｖ２が挿通可能なビス通過孔Ｃｔ１、Ｃｔ２が設けられているとともに、位置決め用のパイロットピンＣｐが上下方向に突出する態様で一体に設けられている。
【００９５】
右の側板Ｃ２３は、内面側が物品収容空間Ｃｓに臨む側板本体Ｃ２３ａと、側板本体Ｃ２３ａの上端縁から外側に延びる側フランジＣ２３ｂとを備えている。右の側フランジＣ２３ｂには、ビスＣｖ１、Ｃｖ２が挿通可能なビス通過孔Ｃｔ１、Ｃｔ２が設けられているとともに、位置決め用のパイロットピンｐが上下方向に突出する態様で一体に設けられている。
【００９６】
後板Ｃ２４は、内面側が物品収容空間Ｃｓに臨む平板状の後板本体Ｃ２４ａと、後板本体Ｃ２４ａの左右に形成され左右のフレームメンバｇ、ｉにおける左右の後連設部ｃ７、ｃ８を受け入れるための凹陥部２４ｃを備えている。後板Ｃ２４が左右に凹陥部２４ｃを備えているものであるため、左右の後連設部ｃ７、ｃ８との干渉を回避しつつ、物品収容空間Ｃｓを奥行き方向に対して広く形成できるようになっている。更に、凹陥部２４ｃ内に配される左右の後連設部ｃ７、ｃ８によって、棚Ｃ２の補強に資するものとなっている。棚板Ｃ２１の後端部分には、脚フレームＣ３の上の連結メンバｘ４が添設し得るようになっており、棚Ｃ２の補強に資するようになっている。
【００９７】
左右の側板本体Ｃ２２ａ、Ｃ２３ａは、上方に向かって漸次離間距離が増大するようにそれぞれ傾斜している。更に、後板本体Ｃ２４ａは、後傾した態様、すなわち上方に向かって漸次後方に移行する態様で設けられている。このため、図１９に示すように、天板Ｃ１から取り外された状態の棚Ｃ２に、同一構造をなす他の棚Ｃ２を棚板Ｃ２１に対して略真上に向かって複数スタッキングさせることができるようになっている。この際、上下に重ねられた２つの棚２のうち、上の棚Ｃ２の前端部分と下の棚Ｃ２の前端部分は略同じ前後位置に位置するようになっている。
【００９８】
棚Ｃ２は、左右の側板Ｃ２２、Ｃ２３における側板本体Ｃ２２ａ、Ｃ２３ａの前端部内面に、上方に開放された竪溝２２ｄ、２３ｄを有している。更に、棚Ｃ２は、竪溝２２ｄ、２３ｄに対応する側板本体Ｃ２２ａ、Ｃ２３ａの外面に竪突部２２ｅ、２３ｅを有している。このため、棚Ｃ２は、同一構造をなす他の棚Ｃ２の竪突部２２ｅ、２３ｅを竪溝２２ｄ、２３ｄに係合させて、安定した姿勢を保持しつつ棚板Ｃ２１に対して略真上に向かってスタッキングできるように形成されている。
【００９９】
第三実施形態のデスクＣは、以上のような構成をなすものであるため、第一実施形態に示すものと同様の効果を奏するものとなる。
【０１００】
本発明は、以上に詳述した第一、第二、第三実施形態に限られるものではない。
【０１０１】
家具は、デスクに限定されるものではないのはもちろんのことであり、例えば、椅子であっても良い。
【０１０２】
＜第四実施形態＞
第四実施形態を、図２０〜２２を参照して説明する。
【０１０３】
第四実施形態は、本発明を、学校等の教育施設において好適に使用される家具である椅子Ｄに適用したものである。
【０１０４】
椅子Ｄは、着座面Ｄ１ａを有する板材である座板Ｄ１と、この座板Ｄ１を支持する脚フレームＤ３と、背板Ｄ５を支持する背フレームＤ４とを具備してなるものである。
【０１０５】
座板Ｄ１は、木製の合板等を材料にして作られた板状のものであり、平面視において略矩形状をなしている。座板Ｄ１の縁部には、脚フレーム３を取り付けるための上下貫通孔であるビス孔Ｄｈ１が形成されている。座板Ｄ１は、脚フレームＤ３の強度を高める強度部材である。すなわち、座板Ｄ１は、脚フレームＤ３の左右の側座板受Ｄ３１、Ｄ３２に対してビスＤｖ１により直接的に取り付けられており、脚フレームＤ３の強度を補助するとともに椅子Ｄの全体の剛性を高める強度部材としての機能を兼ねている。
【０１０６】
脚フレームＤ３は、パイプ素材すなわち金属製のパイプ材を主体に形成されている。脚フレームＤ３は、座板Ｄ１の側部を支持する左右の側板材受である左右の側座板受Ｄ３１、Ｄ３２と、これら左右の側座板受Ｄ３１、Ｄ３２の前端にそれぞれ連続する左右の前脚Ｄ３３、Ｄ３４と、左右の側座板受Ｄ３１、Ｄ３２の後部側に配された左右の後脚Ｄ３７、Ｄ３８と、左右の側座板受Ｄ３１、Ｄ３２同士を連結するための連結メンバｘ８とを備えている。
【０１０７】
左右の側座板受Ｄ３１、３２は、座板Ｄ１の下面Ｄ１ｂにおける左右の側縁部分が添設するものである。左右の前脚Ｄ３３、Ｄ３４及び左右の後脚Ｄ３７、Ｄ３８は、先端部分が床面に接するものである。連結メンバｘ８は、両端部に板状に形成された板状連結部ｘ８ａを有している。この板状連結部ｘ８ａは、側座板受Ｄ３１、Ｄ３２に溶接により取り付けられている。
【０１０８】
背フレームＤ４は、背板Ｄ５支持するものである。背フレームＤ４は、左右の側座板受Ｄ３１、Ｄ３２の後端から連続して上方に延び、先端部分を背板Ｄ５における後面Ｄ５ｂの下端部分に添設させた左右の内側背支持フレームＤ４１、Ｄ４２と、左右の後脚Ｄ３７、Ｄ３８の上端から連続して上方に延びる左右の外側背支持フレームＤ４３、Ｄ４４と、左右の外側背支持フレームＤ４３、Ｄ４４の上端間に架設された上の背支持フレームＤ４５とを備えている。左右の外側背支持フレームＤ４３、Ｄ４４の上部に背板Ｄ５の側縁部分が添設しており、上の背支持フレームＤ４５に背板Ｄ５の上縁部分が添設している。
【０１０９】
背板Ｄ５は、着座者の背が添設する背凭れ面Ｄ５ａを有する板状のもので、木製の合板等を材料にして作られている。
【０１１０】
以上の脚フレーム３及び背フレーム４は、左のフレームメンバＤｌと、右のフレームメンバＤｒと、後フレームメンバＤｂと、連結メンバｘ８を主体に構成されている。
【０１１１】
左のフレームメンバＤｌは、左の側座板受Ｄ３１と、左の前脚Ｄ３３と、左の内側背支持フレームＤ４１とを一本の金属パイプ材を用いて一体に構成したものである。右のフレームメンバＤｒは、右の側座板受Ｄ３２と、右の前脚Ｄ３４と、右の内側背支持フレームＤ４２とを一本の金属パイプ材を用いて一体に構成したものである。後フレームメンバＤｂは、左右の後脚Ｄ３７、Ｄ３８と、左右の外側背支持フレームＤ４３、Ｄ４４と、上の背支持フレームＤ４５とを一本の金属パイプ材を用いて一体に構成したものである。
【０１１２】
連結メンバｘ８は、直線状をなす金属パイプにより形成されるものである。連結メンバｘ８は、左右のフレームメンバＤｌ、Ｄｒ同士を連結し、椅子Ｄ全体の強度を向上させる機能を発揮するものである。連結メンバｘ８は、一端が左の側座板受Ｄ３１の前側の部位に直線溶接によって取り付けられるとともに他端が右の側座板受Ｄ３２の前側の部位に直線溶接によって取り付けられている。連結メンバｘ８の板状連結部ｘ８ａは、金属パイプ材である連結メンバｘ８の端部をプレスすることにより板状に形成された部分である。板状連結部ｘ８ａは、基端部分から先端部分に向かうにつれて板状に形成された部分が広がる形状をなしている。そして、板状連結部ｘ８ａは、先端縁に連結メンバｘ８の長手方向に対して直交する方向に延びる直線部が形成されている。この実施形態では、左右の側座板受Ｄ３１、Ｄ３２に接続する板状連結部ｘ８ａは、平たく形成された平面部ｘ８ｂが正面視における金属パイプの軸心に対して上方に変位した位置で上側を向いている。そして、これら板状連結部ｘ８ａの先端が、左右の側座板受Ｄ３１、Ｄ３２の上面部分にそれぞれ直線溶接により止着されている。したがって、板状連結部ｘ８ａは座板Ｄ１と金属パイプである左右の側座板受Ｄ３１、Ｄ３２との間の隙間を埋めるように配されるため、連結メンバｘ８が座板Ｄ１の下面Ｄ１ｂに添設し易いものとなり、好適に座板Ｄ１を支持するものとなる。
【０１１３】
第四実施形態の椅子Ｄは、以上説明した連結メンバｘ８を有するものであるため、第一実施形態に示すものと同様の効果を奏するものとなる。
【０１１４】
板材の具体的構成は、上述した実施形態に示されるものに限定されるものではなく、種々の構成を採用することができる。例えば、板材は、金属製や樹脂製のもの、或いは、種々の材質を組み合わせたもの等を採用しても良い。
【０１１５】
連結メンバは、少なくとも、左右の側板材受同士、前後の脚同士、左右の脚同士の何れか１つを連結するものであればよい。
【０１１６】
棚の具体的構成は、上述した実施形態に示されたものに限定されるものではなく、種々の構成を採用することができる。例えば、棚は、金属製や樹脂製のものには限定されず、木製や布製や紙製のもの、或いは、種々の材質を組み合わせたもの等を採用しても良い。
【０１１７】
図２３では、第五の実施形態として、上述したデスクに適用される部品である棚Ｅの一例を示している。この棚Ｅは、金属板により形成されたものである。棚Ｅは、中央部に強度確保のための凹部Ｅ２１ｃを形成した棚板Ｅ２１と、棚板Ｅ２１の左右両側縁から曲面を形成した曲面部ｑを介して上方に立設され上端に天板（図示せず）に添接する側フランジＥ２２ｂ、Ｅ２３ｂを有した左右の側板Ｅ２２、Ｅ２３と、棚板Ｅ２１の後縁から上方に向けて立設され上端に天板に添接する後フランジＥ２４ｂを有した後板Ｅ２４とを備えている。棚板Ｅ２１と左右の側板Ｅ２２、Ｅ２３とは１枚の金属板により一体に形成されている。棚Ｅは、前側に開口部Ｅｋを有しており、棚板Ｅ２１、曲面部ｑ、左右の側板Ｅ２２、２３、及び後板Ｅ２４によって文房具等の物品を収容可能な物品収容空間Ｅｓを形成しているものである。
【０１１８】
棚Ｅは、左右の側板Ｅ２２、Ｅ２３を上方に向かって漸次離間距離が増大するように傾斜させてある。そして、天板から取り外された状態の棚Ｅに、同一構造をなす他の棚Ｅを上下にスタッキングさせることができるようになっている。しかも、天板から取り外された状態の複数の棚Ｅを、前後方向を互い違いにして上下にスタッキングできるようになっている。換言すれば、複数の棚Ｅは、前後方向を交互に逆転させながら上下方向に積み重ねられている。
【０１１９】
つまり、棚Ｅは、金属板により形成され若干の変形、すなわち、開口部Ｅｋを形成する棚板Ｅ２１、曲面部ｑ、及び、左右の側板Ｅ２２、Ｅ２３の相対位置が変わり得るものとなっている。このため、複数の棚Ｅが、前後位置を互い違いに逆転させた態様であっても、若干の変形を伴って一方の棚Ｅに他方の棚Ｅが重なり得るものとなっている。
【０１２０】
このようなものであれば、棚Ｅの変形が支障のない程度の範囲で収まるとともに、前後方向を互い違いにしてスタッキングできるのでバランス良く真上方向にスタッキングできるものとなる。しかも、複数の棚Ｅが、互い違いにスタッキングされてコンパクトにまとまるため、倉庫等に効率良く保管することができるとともに効率良く輸送することができるものとなる。さらに、前後方向を互い違いにしてスタッキングすることにより、棚Ｅの後板Ｅ２４が、前後に交互に位置することになるため、スタッキングに伴う自重に伴って棚Ｅの形状が崩れてしまうのを好適に抑制するものとなる。
【０１２１】
脚フレームの具体的構成は、本実施形態に示されたものに限定されるものではなく、種々の構成を採用することができる。例えば、脚フレームが、左の側天板受の軸心と左の前脚の軸心が共通の左仮想平面に属するとともに当該左の側天板受と左の前脚とが一体に構成されているものであり、且つ、右の側天板受の軸心と右の前脚の軸心が共通の右仮想平面に属するとともに当該右の側天板受と右の前脚とが一体に構成されているものにおいても、種々の構成を採用することができる。例えば、左の後脚と右の後脚をそれぞれ別体に構成し、天板の下面に取り付けるようにしても良い。
【０１２２】
デスクは、フックを備えていないものとしても良いのはもちろんのことである。
【０１２３】
棚は、位置決め用のパイロットピンを設けていないものを採用しても良い。
【０１２４】
その他、各部の具体的構成についても上記実施形態に限られるものではなく、本発明の趣旨を逸脱しない範囲で種々変形が可能である。
【符号の説明】
【０１２５】
１…天板
２…棚
３…脚フレーム
３１…（右の）側天板受
３２…（左の）側天板受
３３…（左の）前脚
３４…（右の）前脚
３７…（左の）後脚
３８…（右の）後脚
ｊ…軸心
ｍ１…右仮想平面
ｍ２…左仮想平面
ｆ…前フレームメンバ
ｒ…後フレームメンバ
４…フック
Ａ…デスク
【図１】
2014144028.tif 000003
【図２】
2014144028.tif 000004
【図３】
2014144028.tif 000005
【図４】
2014144028.tif 000006
【図５】
2014144028.tif 000007
【図６】
2014144028.tif 000008
【図７】
2014144028.tif 000009
【図８】
2014144028.tif 000010
【図９】
2014144028.tif 000011
【図１０】
2014144028.tif 000012
【図１１】
2014144028.tif 000013
【図１２】
2014144028.tif 000014
【図１３】
2014144028.tif 000015
【図１４】
2014144028.tif 000016
【図１５】
2014144028.tif 000017
【図１６】
2014144028.tif 000018
【図１７】
2014144028.tif 000019
【図１８】
2014144028.tif 000020
【図１９】
2014144028.tif 000021
【図２０】
2014144028.tif 000022
【図２１】
2014144028.tif 000023
【図２２】
2014144028.tif 000024
【図２３】
2014144028.tif 000025